(57)【要約】【課題】暖房パネルを構成する複数のパネル成形体を適切な位置関係となるように配置することが可能で、容易かつ確実に信頼性の高い取り付け施工を行うことが可能な床暖房パネルおよびその施工方法を提供する。【解決手段】熱媒流通管１０を通過させる凹部を備えた複数のパネル成形体Ｐ１，Ｐ２を展開した状態で組み合わせて床に敷設される床暖房パネルにおいて、展開した状態で各パネル成形体Ｐ１，Ｐ２を適切な位置に配設した場合に互いに隣接することになるパネル成形体Ｐ１，Ｐ２の互いに隣接する端部に、一方のパネル成形体Ｐ１（Ｐ２）から他方のパネル成形体Ｐ２（Ｐ１）に至る一体形状を有する切り欠き３０が形成された構造を有するパネル成形体Ｐ１，Ｐ２と、切り欠き３０の形状に略対応する形状を有し、切り欠き３０にはめ込むことにより、各パネル成形体Ｐ１，Ｐ２が適切な位置に配設されるようにする位置決め用はめ込み部材３１を備える。【選択図】図１
2006046678.tif 000002
【特許請求の範囲】
【請求項１】
熱媒流通管を通過させる凹部を備えた複数のパネル成形体を備え、かつ、折り畳むことができるように構成され、展開した状態で床に敷設して使用される床暖房パネルにおいて、
一部において接続された複数のパネル成形体であって、展開した状態で各パネル成形体を適切な位置に配設した場合において、互いに隣接することになるパネル成形体の互いに隣接する端部に、一方のパネル成形体から他方のパネル成形体に至る一体形状を有する切り欠きが形成された構造を有するパネル成形体と、
前記切り欠きの形状に略対応する形状を有し、前記切り欠きにはめ込むことにより、各パネル成形体が適切な位置に配設されるようにする位置決め用はめ込み部材を備えていること
を特徴とする床暖房パネル。
【請求項２】
前記切り欠きが、床に載置される各パネル成形体を受ける小根太の途中部分を、前記熱媒流通管を通過させるために除去することにより、前記小根太から分離されて形成される小小根太であって、互いに隣接することになるパネル成形体の互いに隣接する端部に位置する、一方のパネル成形体から他方のパネル成形体に至るように一体に形成された小小根太を含む部分を切り欠いたものであり、前記位置決め用はめ込み部材が、切り欠くことにより得られる切り欠き部分であることを特徴とする請求項１記載の床暖房パネル。
【請求項３】
熱媒流通管を通過させる凹部を備えた複数のパネル成形体を備え、かつ、折り畳むことができるように構成され、展開した状態で床に敷設して使用される床暖房パネルの施工方法であって、
一部において接続された複数のパネル成形体を展開した状態で各パネル成形体を適切な位置に配設した場合において、互いに隣接することになるパネル成形体の互いに隣接する端部に、一方のパネル成形体から他方のパネル成形体に至る一体形状を有する切り欠きを形成し、
前記切り欠きの形状に略対応する形状を有する位置決め用はめ込み部材を前記切り欠きにはめ込むことによりパネル成形体の位置決めを行った後、床への固定を行うこと
を特徴とする床暖房パネルの施工方法。
【請求項４】
前記切り欠きを、床に載置される各パネル成形体を受ける小根太の途中部分を、前記熱媒流通管を通過させるために除去することにより、前記小根太から分離されて形成される小小根太であって、互いに隣接することになるパネル成形体の互いに隣接する端部に位置する、一方のパネル成形体から他方のパネル成形体に至るように一体に形成された小小根太を含む部分を切り欠くことにより形成するとともに、切り欠くことにより得られる切り欠き部分を前記位置決め用はめ込み部材として用いることを特徴とする請求項３記載の床暖房パネルの施工方法。
【発明の詳細な説明】
【技術分野】
【０００１】
本願発明は、折り畳み可能な床暖房パネルに関し、詳しくは、床暖房パネルを構成する複数のパネル成形体を適切な位置関係となるように配置することが可能で、容易かつ確実に信頼性の高い取り付け施工を行うことが可能な床暖房パネルおよびその施工方法に関する。
【背景技術】
【０００２】
近年、床暖房パネルが広く利用されるに至っている。この床暖房パネルは、例えば、発泡樹脂製の板状体（パネル成形体）の一方面側に熱媒流通管を通すための配管溝を形成し、この配管溝に熱媒流通管を埋設し、その表面をアルミニウム箔などの放熱シートで被覆した構造のものが提案されている。
【０００３】
また、床暖房パネル（パネル成形体）は搬送や保管の容易さなどを考慮し、通常は、例えば、図９に示すように、所定の位置で折り曲げることができるように構成されている。
すなわち、図９の床暖房パネルにおいては、床暖房パネル５０を構成する２つのパネル成形体Ｐ１，Ｐ２のうち、一方のパネル成形体Ｐ１は、折り畳み単位部分５１ａ，５１ｂ，５１ｃ，５１ｄを備えており、他方のパネル成形体Ｐ２は、折り畳み単位部分５２ａ，５２ｂ，５２ｃ，５２ｄを備えている。
【０００４】
そして、２つのパネル成形体Ｐ１，Ｐ２は、パネル成形体Ｐ１の一つの折り畳み単位部分５１ａと、パネル成形体Ｐ２の一つの折り畳み単位部分５２ａの境界部である一辺５６においてのみ接続されており、その他の折り畳み単位部分５１ｂ，５１ｃ，５１ｄと、折り畳み単位部分５２ｂ，５２ｃ，５２ｄの境界部は非接続とされている。
そして、２つのパネル成形体Ｐ１，Ｐ２は、それぞれ、３箇所の折り曲げ部５３ａ，５３ｂ，５３ｃ、および、５４ａ，５４ｂ，５４ｃにおいて折り曲げることができるように構成されおり、折り曲げ部５３ａ，５３ｂ，５３ｃ、および、５４ａ，５４ｂ，５４ｃの順に、山折り、谷折り、山折りの順に折り曲げることができるように構成されている。
【０００５】
ところで、このように構成された床暖房パネル（パネル成形体）は、通常、折り畳んだパネル成形体Ｐ１，Ｐ２を施工現場で展開した後、上面側から、各パネル成形体Ｐ１，Ｐ２の裏面側に配設された、パネル成形体Ｐ１，Ｐ２を支持するための小根太５５を介して、釘打ちやビス止めなどの方法により床に固定した状態で使用されている。
【０００６】
しかし、上述のようにパネル成形体Ｐ１とＰ２が複数箇所で折り曲げられているような場合、パネル成形体Ｐ１とＰ２を展開して施工する際に、パネル成形体Ｐ１とＰ２の接合部などにおいて位置にずれが生じやすく、所定の寸法や形状に施工することができない場合が生じるという問題点がある。
【０００７】
一方、図１０に示すように、所定の小根太５５（５５ａ）を、互いに隣接することになるパネル成形体Ｐ１，Ｐ２の一方のパネル成形体（例えばＰ２）から他方のパネル成形体（例えばＰ１）にまで達するような形状とした床暖房パネルも示されており（特許文献１参照）、このような構成を有する床暖房パネルにおいては、パネル成形体Ｐ１，Ｐ２の、小根太５５（５５ａ）の長手方向に直交する方向（図１０の矢印Ａで示す方向）への位置ずれは防止することができるようになるものと考えられる。
【０００８】
しかしながらこの構成の床暖房パネルにおいては、パネル成形体Ｐ２の小根太５５（５５ａ）が端部に突出しているので、パネル成形体Ｐ２が突出部において損傷しやすいという問題点がある。さらには、梱包後のサイズが大型化し、搬送や保管などに手間がかかるばかりでなく、施工時にも慎重な取り扱いが必要になったり、小根太５５（５５ａ）が端部に突出している部分を隣接するパネル成形体の凹部に挿入する作業に手間がかかったりするという問題点がある。
【特許文献１】特開２００２−１０６８６５号公報
【発明の開示】
【発明が解決しようとする課題】
【０００９】
本願発明は、上記課題を解決するものであり、暖房パネルを構成する複数のパネル成形体を適切な位置関係となるように配置することが可能で、容易かつ確実に信頼性の高い取り付け施工を行うことが可能な床暖房パネルおよびその施工方法を提供することを課題とする。
【課題を解決するための手段】
【００１０】
上記課題を解決するために、本願発明（請求項１）の床暖房パネルは、
熱媒流通管を通過させる凹部を備えた複数のパネル成形体を備え、かつ、折り畳むことができるように構成され、展開した状態で床に敷設して使用される床暖房パネルにおいて、
一部において接続された複数のパネル成形体であって、展開した状態で各パネル成形体を適切な位置に配設した場合において、互いに隣接することになるパネル成形体の互いに隣接する端部に、一方のパネル成形体から他方のパネル成形体に至る一体形状を有する切り欠きが形成された構造を有するパネル成形体と、
前記切り欠きの形状に略対応する形状を有し、前記切り欠きにはめ込むことにより、各パネル成形体が適切な位置に配設されるようにする位置決め用はめ込み部材を備えていること
を特徴としている。
【００１１】
また、請求項２の床暖房パネルは、本願請求項１の床暖房パネルの構成において、前記切り欠きが、床に載置される各パネル成形体を受ける小根太の途中部分を、前記熱媒流通管を通過させるために除去することにより、前記小根太から分離されて形成される小小根太であって、互いに隣接することになるパネル成形体の互いに隣接する端部に位置する、一方のパネル成形体から他方のパネル成形体に至るように一体に形成された小小根太を含む部分を切り欠いたものであり、前記位置決め用はめ込み部材が、切り欠くことにより得られる切り欠き部分であることを特徴としている。
【００１２】
また、本願発明（請求項３）の床暖房パネルの施工方法は、
熱媒流通管を通過させる凹部を備えた複数のパネル成形体を備え、かつ、折り畳むことができるように構成され、展開した状態で床に敷設して使用される床暖房パネルの施工方法であって、
一部において接続された複数のパネル成形体を展開した状態で各パネル成形体を適切な位置に配設した場合において、互いに隣接することになるパネル成形体の互いに隣接する端部に、一方のパネル成形体から他方のパネル成形体に至る一体形状を有する切り欠きを形成し、
前記切り欠きの形状に略対応する形状を有する位置決め用はめ込み部材を前記切り欠きにはめ込むことによりパネル成形体の位置決めを行った後、床への固定を行うこと
を特徴としている。
【００１３】
また、請求項４の床暖房パネルの施工方法は、前記切り欠きを、床に載置される各パネル成形体を受ける小根太の途中部分を、前記熱媒流通管を通過させるために除去することにより、前記小根太から分離されて形成される小小根太であって、互いに隣接することになるパネル成形体の互いに隣接する端部に位置する、一方のパネル成形体から他方のパネル成形体に至るように一体に形成された小小根太を含む部分を切り欠くことにより形成するとともに、切り欠くことにより得られる切り欠き部分を前記位置決め用はめ込み部材として用いることを特徴としている。
【発明の効果】
【００１４】
本願発明（請求項１）の床暖房パネルは、熱媒流通管を通過させる凹部を備えた複数のパネル成形体を備え、かつ、折り畳むことができるように構成され、展開した状態で床に敷設して使用される床暖房パネルにおいて、一部において接続された複数のパネル成形体であって、展開した状態で各パネル成形体を適切な位置に配設した場合に互いに隣接することになるパネル成形体の互いに隣接する端部に、一方のパネル成形体から他方のパネル成形体に至る一体形状を有する切り欠きが形成された構造を有するパネル成形体と、切り欠きの形状に略対応する形状を有し、切り欠きにはめ込むことにより、各パネル成形体が適切な位置に配設されるようにする位置決め用はめ込み部材を備えているので、位置決め用はめ込み部材を展開したパネル成形体に形成された切り欠きにはめ込むだけで、隣接するパネル成形体どうしを確実に位置決めすることが可能になり、床暖房パネルを構成する複数のパネル成形体を確実に適切な位置に配設して、容易かつ確実に信頼性の高い床暖房パネルの施工を行うことが可能になる。
【００１５】
また、請求項２の床暖房パネルのように、互いに隣接することになるパネル成形体の互いに隣接する端部に位置する、一方のパネル成形体から他方のパネル成形体に至るように一体に形成された小小根太を含む部分を切り欠くことにより切り欠きを形成するとともに、位置決め用はめ込み部材として、上述のようにして切り欠いた切り欠き部分を用いることにより、別途位置決め用はめ込み部材を用意する必要がなく、効率よく隣接するパネル成形体どうしを確実に位置決めすることが可能になり、床暖房パネルを構成する複数のパネル成形体を適切な位置に配設して、容易かつ確実に信頼性の高い床暖房パネルの施工を行うことが可能になる。
【００１６】
また、本願発明（請求項３）の床暖房パネルの施工方法は、一部において接続された複数のパネル成形体を展開した状態で各パネル成形体を適切な位置に配設した場合において、互いに隣接することになるパネル成形体の互いに隣接する端部に、一方のパネル成形体から他方のパネル成形体に至る一体形状を有する切り欠きを形成し、切り欠きの形状に略対応する形状を有する位置決め用はめ込み部材を上記切り欠きにはめ込むことによりパネル成形体の位置決めを行った後、床への固定を行うようにしているので、効率よく隣接するパネル成形体どうしを確実に位置決めすることが可能になり、床暖房パネルを構成する複数のパネル成形体を適切な位置に配設して、容易かつ確実に信頼性の高い床暖房パネルの施工を行うことが可能になる。
【００１７】
また、請求項４の床暖房パネルの施工方法のように、互いに隣接することになるパネル成形体の互いに隣接する端部に位置する、一方のパネル成形体から他方のパネル成形体に至るように一体に形成された小小根太を含む部分を切り欠くことにより切り欠きを形成するとともに、位置決め用はめ込み部材として、上述のようにして切り欠いた切り欠き部分を用いることにより、別途位置決め用はめ込み部材を用意する必要なく、効率よく隣接するパネル成形体どうしを確実に位置決めすることが可能になり、床暖房パネルを構成する複数のパネル成形体を適切な位置に配設して、容易かつ確実に信頼性の高い床暖房パネルの施工を行うことが可能になる。
【実施例１】
【００１８】
以下に本願発明の実施例を示して、本願発明の特徴とするところをさらに詳しく説明する。
図１は、本願発明の一実施例（実施例１）にかかる床暖房パネルの要部構成を示す平面図であり、図２は斜視図である。
【００１９】
この実施例１の床暖房パネルは、図１に示すように、２つのパネル成形体Ｐ１，Ｐ２を備えている。そして、２つのパネル成形体Ｐ１，Ｐ２のうち、一方のパネル成形体Ｐ１は、複数の折り畳み単位部分１ａ，１ｂ，１ｃ，および１ｄを備えている。また、他方のパネル成形体Ｐ２は、複数の折り畳み単位部分２ａ，２ｂ，２ｃ，および２ｄ備えている。
【００２０】
そして、２つのパネル成形体Ｐ１，Ｐ２は、一つの折り畳み単位部分１ａと２ａの境界部である一辺６においてのみ接続されており、その他の折り畳み単位部分１ｂ，１ｃ，および１ｄと、折り畳み単位部分２ｂ，２ｃ，および２ｄの境界部は非接続とされている。そして、２つのパネル成形体Ｐ１，Ｐ２は、それぞれ、３箇所の折り曲げ部３ａ，３ｂ，３ｃ、および、４ａ，４ｂ，４ｃにおいて折り曲げることができるように構成されおり、折り曲げ部３ａ，３ｂ，３ｃ、および、４ａ，４ｂ，４ｃの順に、山折り、谷折り、山折りの順に折り曲げることができるように構成されている（図２）。
【００２１】
また、各パネル成形体Ｐ１，Ｐ２の複数の折り畳み単位部分１ａ，１ｂ，１ｃ，および１ｄおよび２ａ，２ｂ，２ｃ，および２ｄのそれぞれには熱媒流通管（樹脂管）１０を通過させる凹部１１が形成されているとともに、床暖房パネルを敷設する際に各パネル成形体Ｐ１，Ｐ２を受ける小根太２１および、熱媒流通管１０を通過させるために小根太の途中部分を除去することにより、小根太から分離されて形成された小小根太（短い小根太）２２が配設されている。なお、この実施例では、小根太２１、小小根太２２の配設ピッチは３０３ｍｍとされている。また、この実施例１では小根太および小小根太の構成材料として木材を用いている。ただし、他の発泡樹脂などの材料とすることも可能である。
【００２２】
また、パネル成形体Ｐ１，Ｐ２の表面には、床を均一に暖めることができるように、放熱部材としてアルミ箔２３が貼り付けられている。
そして、小根太２１および小小根太２２を介して釘打ち、ビス止めなどの方法で床に固定するために、アルミ箔２３の表面にはマーク２４（図４〜図７参照）が形成されている。
【００２３】
そして、この実施例１では、図２に示すように、２つのパネル成形体Ｐ１，Ｐ２のうち、一辺６において接続された折り畳み単位部分１ａと２ａから離れた位置にある（すなわち、折り畳み単位部分１ａと２ａとは逆側に位置する）、折り畳み単位部分１ｄと２ｄの互いに隣接する端部側の領域には、図３に示すように、一方のパネル成形体Ｐ１の折り畳み単位部分１ｄから他方のパネル成形体Ｐ２の折り畳み単位部分２ｄに至るように切り欠き３０が形成されており、切り欠き３０には、位置決め用はめ込み部材３１がはめ込まれている。
なお、位置決め用はめ込み部材３１は、例えば、他の折り畳み単位部分１ａ，１ｂ，１ｃ、２ａ，２ｂ，２ｃのそれぞれに配設された互いに隣接する一対の小小根太２２，２２を一体化した大きさの部材であり、小根太２１および小小根太２２と同じく構成材料として木材が用いられている。
【００２４】
［切り欠きおよび位置決め用はめ込み部材の形成方法］
次に、切り欠き３０および位置決め用はめ込み部材３１の形成方法について説明する。
【００２５】
(１)まず、図３に示すように、２つのパネル成形体Ｐ１，Ｐ２のうち、折り畳み単位部分１ｄと２ｄの互いに隣接する端部に、一方のパネル成形体Ｐ１の折り畳み単位部分１ｄから他方のパネル成形体Ｐ２の折り畳み単位部分２ｄに至るような長さ（他の小小根太２２の２倍の長さ）を有する小小根太２２ａを配設するとともに熱媒流通管１０を配設する。
(２)それから、図４に示すように、表面にアルミ箔２３を貼り、小根太２１および小小根太２２ａの釘打ち（あるいはビス止め）部分に対応する部分にマーキングを行ってマーク２４を形成する。なお、マーク２４の幅は、釘打ち（あるいはビス止め）にミスが生じないように、アルミ箔２３の下側にある小根太２１、小小根太２２、位置決め用はめ込み部材３１を構成する小小根太２２ａの幅よりも狭く形成する。
(３)次に、図５に示すように、小小根太２２ａに略対応する領域の、アルミ箔２３をカットし、表面にアルミ箔２３が配設された状態の小小根太２２ａを取り外す。これにより、切り欠き３０が形成されるとともに、位置決め用はめ込み部材３１が形成される。
【００２６】
なお、上述のようにして切り欠き３０を形成したパネル成形体Ｐ１，Ｐ２は、折り畳まれて梱包されるとともに、位置決め用はめ込み部材３１もパネル成形体Ｐ１，Ｐ２と同梱され出荷される。
【００２７】
次に、上述のようにして形成された切り欠き３０および位置決め用はめ込み部材３１を利用して位置決めを行う方法（すなわち、床暖房パネルの施工方法）について説明する。
［施工方法］
(１)施工現場において折り畳まれた状態で梱包されたパネル成形体Ｐ１，Ｐ２を展開すると、通常は、例えば、図６(ａ)，(ｂ)に模式的に示すように、２つのパネル成形体Ｐ１，Ｐ２にずれが生じ、折り畳み単位部分１ｄと２ｄに形成された切り欠き３０にもずれが生じる。
(２)このような場合において、パネル成形体Ｐ１，Ｐ２と同梱されていた位置決め用はめ込み部材３１を、位置ずれの生じている切り欠き３０にはめ込む。
これにより、図７に示すように、パネル成形体Ｐ１，Ｐ２の各部の位置ずれが解消されるとともに、正しい位置関係となった状態で、パネル成形体Ｐ１，Ｐ２の位置が保持される。
したがって、その状態でマーク２４を目印として、釘打ちやビス止めなどの方法により、パネル成形体Ｐ１，Ｐ２を床に固定することにより、容易かつ確実に信頼性の高い床暖房パネルの施工を行うことが可能になる。
【００２８】
上述のように、本願発明の床暖房パネルにおいては、位置決め用はめ込み部材３１を切り欠き３０にはめ込むだけで、隣接するパネル成形体Ｐ１，Ｐ２を確実に位置決めすることが可能になり、床暖房パネルを構成する複数のパネル成形体を確実に適切な位置に配設して、容易に信頼性の高い床暖房パネルの施工を行うことができる。
【００２９】
なお、この実施例１では、２つのパネル成形体Ｐ１，Ｐ２のうち、一辺６において接続された折り畳み単位部分１ａと２ａから離れた位置にある折り畳み単位部分１ｄと２ｄの互いに隣接する端部にのみ切り欠き３０を設け、この切り欠き３０に位置決め用はめ込み部材３１をはめ込むようにしているが、パネル成形体Ｐ１，Ｐ２の隣接する端部の、互いに対向、当接している小小根太２２どうし（図２参照）をそれぞれ一体化した構成、すなわち、互いに対向、当接しているすべての小小根太を一体化した構成とすることも可能である。さらには、任意の複数組の小小根太だけを一体化した構成とすることも可能である。
【００３０】
また、この実施例１では、位置決め用はめ込み部材３１をパネル成形体Ｐ１，Ｐ２と同梱するようにした場合について説明したが、施工現場にて、合板や発泡樹脂などを所定の形状、寸法に切断して用いることも可能である。
【００３１】
また、この実施例１では、位置決め用はめ込み部材３１として、小根太２１と同じ材質である木材からなる小小根太２２を一体化したもの（小小根太２２ａ）を主要部とするものを用いているが、位置決め用はめ込み部材３１の構成材料はこれに限られるものではなく、例えば、発泡樹脂、古紙再生材料など、種々の材料からなるものを用いることが可能である。
また、位置決め用はめ込み部材３１の構成材料として、小小根太２２や小根太２１と同一材料を用いることにより、材料の調達や、保管などが簡略化されて望ましいが、小小根太２２や小根太２１とは異なる種類の材料を用いることも可能である。
【００３２】
なお、位置決め用はめ込み部材は、施工終了まで位置ずれが生じないようにパネル成形体を所定の位置に維持することが可能な機械的強度を有するものであることが望ましいが、かかる機能を果たすことが可能な範囲で、種々の材料を用いることが可能である。
【００３３】
また、位置決め用はめ込み部材自体を床に固定することが必要な場合には、釘やビスなどの固定治具の締結力を受け止めることが可能な機械的強度を有する材料を用いて形成することが望ましい。
【００３４】
また、上記実施例では、２つのパネル成形体を備えた床暖房パネルを例にとって説明したが、パネル成形体の数に制約はなく３つ以上のパネル成形体を備えた床暖房パネルにも本願発明を適用することが可能である。
【実施例２】
【００３５】
図８は本願発明の他の実施例にかかる床暖房パネルの要部構成を示す図である。なお、図８において、図１と同一符号を付した部分は、図１で示した部分と同一または相当する部分を示している。
【００３６】
この実施例２の床暖房パネルは、２つのパネル成形体Ｐ１，Ｐ２の隣接する端部において、小小根太２２どうしが互いに対向、当接せず、小小根太２２と小根太２１が対向、当接するような構成とされている。
【００３７】
そして、この図８に示す床暖房パネルにおいて、切り欠き３０は、折り畳み単位部分１ｄに配設された２つの小根太２１のうち、右側の小根太２１（２１ａ）の先端部と接する位置から、折り畳み単位部分２ｄに達するように形成されており、該切り欠き３０には、位置決め用はめ込み部材３１がはめ込まれている。
【００３８】
そして、位置決め用はめ込み部材３１は、パネル成形体Ｐ２の折り畳み単位部分２ｄの右側の小小根太に相当する部分の上端部がパネル成形体Ｐ１の下端部に入り込むような、他の小小根太２２の約２倍の長さを有する形状に構成されており、パネルＰ１の折り畳み単位部分１ｄの小根太２１ａは、位置決め用はめ込み部材３１の上端がはまり込むことを許容できるように短く形成されている。
【００３９】
なお、この実施例２で特に説明していない部分の構成は、上記実施例１の場合と同様であり、具体的な切り欠きの形成方法および床暖房パネルの施工方法なども上記実施例１の場合と同様である。
【００４０】
このように、本願発明は、小小根太２２と小根太２１が対向、当接するような構成の床暖房パネルにも適用することが可能である。すなわち、小小根太２２と小根太２１が対向、当接するような構成の場合、互いに対向する小小根太２２と小根太２１を一体化したような構成とすると、位置決めは可能になるとしても、位置決め用はめ込み部材の形状が長くなりすぎて、これに対応する形状の切り欠きを形成した場合、製品の強度低下を招くことになるが、この実施例２のような構成とすることにより、切り欠き３０が長くなりすぎることによる製品の強度低下を招くことなく、床暖房パネルを構成するパネル成形体の位置ずれを確実に防止することが可能になる。
【００４１】
なお、本願発明は上記実施例の構成に限定されるものではなく、パネル成形体の具体的な形状、熱媒流通管の配設経路、切り欠きおよび位置決め用はめ込み部材の具体的な形状などに関し、発明の範囲内において種々の応用、変形を加えることが可能である。
【産業上の利用可能性】
【００４２】
本願発明の床暖房パネルは、上述のような切り欠きが形成された構造を有するパネル成形体と、上記切り欠きにはめ込まれる位置決め用はめ込み部材を備えているので、位置決め用はめ込み部材を、パネル成形体に形成された切り欠きにはめ込むだけで、隣接するパネル成形体どうしを確実に位置決めすることが可能になり、床暖房パネルを構成する複数のパネル成形体を確実に適切な位置に配設して、容易に信頼性の高い床暖房パネルの施工を行うことが可能になる。
したがって、本願発明は、床暖房パネルおよびその施工工程に広く適用することができる。
【図面の簡単な説明】
【００４３】
【図１】本願発明の一実施例（実施例１）にかかる床暖房パネルの要部構成を示す平面図である。
【図２】本願発明の一実施例（実施例１）にかかる床暖房パネルの要部構成を示す斜視図である。
【図３】本願発明の一実施例（実施例１）にかかる床暖房パネルの切り欠きおよび位置決め用はめ込み部材の形成方法を説明する図である。
【図４】本願発明の一実施例（実施例１）にかかる床暖房パネルの切り欠きおよび位置決め用はめ込み部材の形成方法を説明する図である。
【図５】本願発明の一実施例（実施例１）にかかる床暖房パネルの切り欠きおよび位置決め用はめ込み部材の形成方法を説明する図である。
【図６】(ａ)，(ｂ)は、本願発明の一実施例（実施例１）にかかる床暖房パネルの施工方法を説明する図である。
【図７】本願発明の一実施例（実施例１）にかかる床暖房パネルの施工方法を説明する図である。
【図８】本願発明の他の実施例（実施例２）にかかる床暖房パネルの要部構成を示す平面図である。
【図９】従来の床暖房パネルを示す斜視図である。
【図１０】従来の他の床暖房パネルの要部構成を示す平面図である。
【符号の説明】
【００４４】
Ｐ１，Ｐ２      パネル成形体
１ａ，１ｂ，１ｃ，１ｄ              折り畳み単位部分
２ａ，２ｂ，２ｃ，２ｄ              折り畳み単位部分
３ａ，３ｂ，３ｃ，４ａ，４ｂ，４ｃ  折り曲げ部
６              接続されている一辺
１０            熱媒流通管（樹脂管）
１１            凹部
２１            小根太
２１ａ          折り畳み単位部分の右側の小根太
２２            小小根太（短い小根太）
２２ａ          他の小小根太の２倍の長さの小小根太
２３            アルミ箔
２４            マーク
３０            切り欠き
３１            位置決め用はめ込み部材
【図１】
2006046678.tif 000003
【図２】
2006046678.tif 000004
【図３】
2006046678.tif 000005
【図４】
2006046678.tif 000006
【図５】
2006046678.tif 000007
【図６】
2006046678.tif 000008
【図７】
2006046678.tif 000009
【図８】
2006046678.tif 000010
【図９】
2006046678.tif 000011
【図１０】
2006046678.tif 000012